(57)【要約】      （修正有）【課題】大桝に子枡を収納することが不可能であった大桝と子枡であっても、大桝の中に子枡を収納することが可能となり、大桝及び小枡の保管のための空間を削減することが可能となる大桝及び小枡のセットを提供する。【解決手段】側面に開口部２を有する直方体からなる大枡１、及び、大枡１の内部に収容可能な大きさの、上面に開口部４を有し一側面に取っ手５ａを有する直方体の容器である小枡３からなる。大桝１の内容積が一合（１８０ｍｌ）であり、小枡３の内容積が五勺（９０ｍｌ）であり、酒の計量及び飲用のための容器である。【選択図】図１
0003188094.tif 000002
【実用新案登録請求の範囲】
【請求項１】
側面に開口部を有する直方体の容器である大枡、及び、大枡の内部に収容可能な大きさの、上面に開口部を有し一側面に取っ手を有する直方体の容器である小枡。
【請求項２】
請求項１の大枡及び小枡であって、飲料の計量及び飲用のための容器である大枡及び小枡。
【請求項３】
請求項１の大枡及び小枡であって、大枡の内容積が一合（１８０ｍｌ）であり、小枡の内容積が五勺（９０ｍｌ）であり、酒の計量及び飲用のための容器である大枡と小枡。
【考案の詳細な説明】
【技術分野】
【０００１】
本考案は、大枡及び大枡内に収納可能な小枡に関する。
【背景技術】
【０００２】
公知の枡は、図３に示すように、上面に開口部を有する直方体の容器であって目的に応じた特定の内容積を有する容器であり、伝統的に酒などの液体やコメなどの粉粒体を計量する目的で利用され、現在では主に酒の計量及び飲用のための容器として利用されている。
【０００３】
酒の計量及び飲用のための容器として利用されている枡には様々な特定の内容積のものがあるが、その中でも一合枡（内容積１８０ｍｌ）および五勺枡（内容積９０ｍｌ）が多く利用されている。
【０００４】
大枡とは２個の枡にあって相対的に内容積の大きな枡であり、小枡とは相対的に内容積の小さな枡である。
【０００５】
枡は、木、ガラス、プラスチック、金属、陶磁器その他の、飲料を衛生的に保持することが可能である素材で製造されるが、いずれの素材も一定の厚さを有するため、その厚さの分、内寸よりも外寸の方が大きい。
【０００６】
図３に示した公知の大小の枡を上から見た断面図を図４及び図５に示す。
【０００７】
図４に示すように、大枡１の内寸より小枡３の外寸が小さい場合、大枡の開口部２より大枡の中に小枡を収納することが可能である。この場合、大小の枡の保管のために最低限必要な空間は、大枡の総容積と同じである。
【０００８】
しかし、図５に示すように、大枡１の内寸より小枡３の外寸が大きい場合、大枡１の中に小枡３を収納することは不可能である。たとえば、公知の一合枡の内寸より公知の五勺枡の外寸が大きいので、公知の一合枡の中に公知の五勺枡を収納することは不可能である。この場合、大枡１と小枡３は別個に積み上げて保管する必要があり、大小の枡の保管のために最低限必要な空間は、大枡の総容積と小枡の総容積の和と同じである。
【０００９】
このため、大枡１の内寸が小枡３の外寸よりも小さい場合、大枡１の内寸が小枡３の外寸よりも大きい場合と比較して、大小の枡の保管のためには、小枡の総容積以上の空間が追加的に必要となっている。
【００１０】
本考案によらない従来技術の改善策として、小枡３を公知の枡より厚さの小さい素材で製造することにより、大枡１の内寸より小枡３の外寸を小さくする方法が考えられるが、図６に示すように、大枡１の内寸と小枡３の外寸がほぼ同一の場合、大枡の開口部２より大枡１の中に収納した小枡３を大枡１より取り出すことが困難となるという欠点が生じる。
【００１１】
また、本考案によらない従来技術の改善策として、図７に示すように、大枡の開口部２より大枡１の中に収納した小枡３を大枡１より取り出すことが容易となるよう、大枡１と小枡３の間に空間的余裕を持たせるべく、小枡を更に厚さの小さい素材で製造する場合、小枡の素材の厚さが極小となり、製造が困難となるという欠点、及び、小枡の容器としての強度を保持することが困難となるという欠点が生じる。
【先行技術文献】
【非特許文献】
【００１２】
【非特許文献１】小泉袈裟勝著「ものと人間の文化史３６  枡」法政大学出版部  １９８０年
【考案の概要】
【考案が解決しようとする課題】
【００１３】
本考案が解決しようとする課題は、大小の枡において、大枡１の内寸が小枡３の外寸よりも小さい場合、大枡１の内寸が小枡３の外寸よりも大きい場合と比較して、大小の枡の保管のためには、小枡３の総容積以上の空間が追加的に必要となっている点である。
【課題を解決するための手段】
【００１４】
本考案は、側面に開口部２を有する直方体からなる大枡１、及び、大枡１の内部に収容可能な大きさの、上面に開口部４を有し一側面に取っ手５を有する直方体からなる小枡３であることを最も主要な特徴とする。
【００１５】
本考案における大枡１は、側面に開口部２を有するが、大枡１を９０度回転させて側面の開口部２を上面に向けることにより、容器として利用可能となる。
【考案の効果】
【００１６】
以上説明したように、本考案によれば、たとえば公知の一合枡と公知の五勺枡のような、大枡１の内寸が小枡３の外寸よりも小さく大枡１の中に小枡３を収納不可能であった大枡１と小枡３において、大枡１の中に小枡３を収納することが可能となる。これにより、大小の枡の保管のために最低限必要な空間を、小枡３の総容積の分だけ削減することが可能となる。
【００１７】
本考案によって大枡１の中に小枡３を収納する場合、図８に示すように、大枡１の内寸と小枡３の外寸がほぼ同一の場合であっても、小枡の取っ手５を用いて、大枡の開口部２より大枡１の中に収納した小枡３を大枡１より容易に取り出すことが可能であり、本考案によらない従来技術の改善案における、大枡の開口部２より大枡１の中に収納した小枡３を大枡１より取り出すことが困難となるという欠点を回避することができる。
【００１８】
本考案によって大枡１の中に小枡３を収納する場合、大枡１と小枡３の間に空間的余裕を持たせる必要がなく、小枡３の素材の厚さが極小となることを回避することができるため、本考案によらない従来技術の改善案における、製造が困難となるという欠点、及び、小枡３の容器としての強度を保持することが困難となるという欠点を回避することができる。
【図面の簡単な説明】
【００１９】
【図１】図１は本考案の一実施形態を示す斜視図である。
【図２】図２は本考案の図１以外の一実施形態を示す斜視図である。
【図３】図３は従来技術を示す斜視図である。
【図４】図４は従来技術を示す断面図である。
【図５】図５は従来技術を示す断面図である。
【図６】図６は本考案によらない従来技術の改善案の欠点を示す断面図である。
【図７】図７は本考案によらない従来技術の改善案の欠点を示す断面図である。
【図８】図８は本考案の一実施形態を示す断面図である。
【考案を実施するための形態】
【００２０】
本考案は、木、ガラス、プラスチック、金属、陶磁器その他の、飲料を衛生的に保持することが可能である素材であれば、いずれの素材による枡においても実施可能である。
【実施例】
【００２１】
図１は、本考案の実施例であって、１は大枡、２は大枡の開口部、３は小枡、４は小枡の開口部、５ａは小枡の取っ手５であって小枡３本体以外の部品を小枡３に接合したものである。本考案は、図１の５ａで示した以外の形状の小枡３本体以外の部品を小枡３に接合した取っ手５であっても実施可能である。
【００２２】
図２は、本考案の他の実施例であって、１は大枡、２は大枡の開口部、３は小枡、４は小枡の開口部、５ｂは小枡の取っ手５であって小枡３本体の一部を加工して取っ手の機能を持たせたものである。本考案は、図２の５ｂで示した以外の形状に小枡３本体の一部を加工して取っ手の機能を持たせた取っ手５であっても実施可能である。
【産業上の利用可能性】
【００２３】
本考案によって、従来技術においては大枡に小枡を収納することが不可能であった大枡と小枡であっても、大枡の中に小枡を収納することが可能となり、大枡及び小枡の保管のための空間を削減することが可能となる。
【符号の説明】
【００２４】
１    大枡
２    大枡の開口部
３    小枡
４    小枡の開口部
５    小枡の取っ手
５ａ  小枡の取っ手
５ｂ  小枡の取っ手
【図１】
0003188094.tif 000003
【図２】
0003188094.tif 000004
【図３】
0003188094.tif 000005
【図４】
0003188094.tif 000006
【図５】
0003188094.tif 000007
【図６】
0003188094.tif 000008
【図７】
0003188094.tif 000009
【図８】
0003188094.tif 000010
【手続補正書】
【提出日】平成25年10月20日(2013.10.20)
【手続補正１】
【補正対象書類名】実用新案登録請求の範囲
【補正対象項目名】請求項１
【補正方法】変更
【補正の内容】
【請求項１】
側面に開口部を有する直方体の容器である大枡、及び、大枡の内部に収容可能な大きさの、上面に開口部を有し一側面に取っ手を有する直方体の容器である小枡からなる大枡及び小枡のセット。
【手続補正２】
【補正対象書類名】実用新案登録請求の範囲
【補正対象項目名】請求項２
【補正方法】変更
【補正の内容】
【請求項２】
請求項１の大枡及び小枡のセットであって、大枡の内容積が一合（１８０ｍｌ）であり、小枡の内容積が五勺（９０ｍｌ）であり、酒の計量及び飲用のための容器である大枡及び小枡のセット。